(57)【要約】【課題】システムキッチンのカウンタ３上面に開設されたカウンタ孔３０へ落とし込み状態に装着される本体ケース１０と、本体ケース１０の上面開放部を覆う天板１１と、天板１１の上方に載置される被加熱物をその下方から加熱する熱源１４と、天板１１の上面を覆うトップカバー１２とを備えたコンロ１において、キッチン全体の使い勝手を損なうことなく、安全且つ利便性の高いコンロ１を提供する。【解決手段】トップカバー１２を本体ケース１０の後方且つカウンタ３上面より下方の空間へ格納させた開位置と天板１１の上面を覆った閉位置との間で往復移動させるカバー駆動部１３と、トップカバー１２の開閉を指示する開閉指示部Ｐ１と、カバー駆動部１３によるトップカバー１２の開動作および閉動作を開閉指示部Ｐ１の指示に応じて実行させる開閉制御手段とを備えたこと。【選択図】図１
2008025943.tif 000002
【特許請求の範囲】
【請求項１】
システムキッチンのカウンタ上面に開設されたカウンタ孔へ落とし込み状態に装着される本体ケースと、本体ケースの上面開放部を覆う天板と、天板の上方に載置される被加熱物をその下方から加熱する熱源と、天板の上面を覆うトップカバーとを備えたコンロにおいて、
トップカバーを本体ケースの後方且つカウンタ上面より下方の空間へ格納させた開位置と前記天板の上面を覆った閉位置との間で往復移動させるカバー駆動部と、
トップカバーの開閉を指示する開閉指示部と、
カバー駆動部によるトップカバーの開動作および閉動作を前記開閉指示部の指示に応じて実行させる開閉制御手段とを備えた、コンロ。
【請求項２】
請求項１に記載のコンロにおいて、
前記開閉指示部は、電源の入切を指示する電源スイッチであり、
前記開閉制御手段は、前記電源スイッチの入操作に応答して前記開動作を実行させ、切操作に応答して前記閉動作を実行させることを特徴とする、コンロ。
【請求項３】
請求項１または２に記載のコンロにおいて、
前記トップカバーが全開であることを検知する第１センサを備え、
前記開閉制御手段は、前記第１センサがトップカバーの全開を検知していない時は前記熱源の加熱動作を禁止する加熱禁止手段を有する、コンロ。
【請求項４】
請求項１から３のいずれかに記載のコンロにおいて、
前記トップカバーが全開であり且つ熱源が作動していない時間を計測するタイマと、
前記タイマの計測時間が所定時間を経過した場合に、前記開閉制御手段によって前記閉動作を実行させる自動閉蓋手段とを備えた、コンロ。
【請求項５】
請求項１から４のいずれかに記載のコンロにおいて、
前記トップカバー上面の載置物を検知する第２センサを備え、
前記開閉制御手段は、前記第２センサがトップカバー上面の載置物を検知している時は前記開動作を禁止する開動作禁止手段を有する、コンロ。
【請求項６】
請求項１から５のいずれかに記載のコンロにおいて、
前記天板上面の載置物を検知する第３センサを備え、
前記開閉制御手段は、前記第３センサが天板上面の載置物を検知している時は前記閉動作を禁止する閉動作禁止手段を有する、コンロ。
【請求項７】
請求項１から６のいずれかに記載のコンロにおいて、
前記開閉制御手段は、前記熱源が加熱動作を実行している時は前記閉動作を禁止する閉蓋禁止手段を有する、コンロ。
【請求項８】
請求項１から７のいずれかに記載のコンロにおいて、
前記トップカバーは、複数の小幅の板体を幅方向へ連結した可撓性を有するシャッター状に構成されており、
前記カバー駆動部は、前記トップカバーを天板上面に沿って摺動させることを特徴とする、コンロ。
【請求項９】
請求項１から８のいずれかに記載のコンロにおいて、
前記トップカバーには、閉位置にあるトップカバーと天板との間の熱気を放出する通気孔が設けられている、コンロ。
【発明の詳細な説明】
【技術分野】
【０００１】
本発明は、天板の上面を覆う開閉自在なトップカバーを備えたコンロに関するものである。
【背景技術】
【０００２】
従来のコンロにおいて、天板の上面を覆う開閉自在なトップカバーを備えたものが知られている（例えば、特許文献１参照）。
図１０は、上記従来のコンロとして例示するガスコンロ９の概略斜視図である。
ガスコンロ９は、システムキッチンのカウンタ３の上面に開設されたカウンタ孔３０へ落とし込み状態で装着される本体ケース９０と、本体ケース９０の上面開口部（図示しない）を覆う天板９１と、天板９１の上面全体を覆うトップカバー９２とを備えている。
【０００３】
上記本体ケース９０内には、複数のガスバーナ９４とグリル９５が収容されており、天板９１には、上記ガスバーナ９４が臨む複数のバーナ用開口部９１１と、上記グリル９５の排気ダクト９５２が臨むダクト用開口部９１２とが開設されている。また、バーナ用開口部９１１の周縁上部には、それぞれ五徳９７が載置されており、ダクト用開口部９１２は、排気口カバー９８で覆われている。
【０００４】
上記トップカバー９２は、本体ケース９０の後部に軸支されており、水平姿勢（天板９１の上面を覆った閉状態）と起立姿勢（ガスコンロ９の後方へ起立させた開状態）との間で自在に上下回動し得るようになっている。
【０００５】
従って、ガスコンロ９を使用しない場合は、トップカバー９２を閉状態にしておけば、油や煮汁等によって汚れた五徳９７や排気口カバー９８が露出せず、システムキッチン全体の美観を損なわない。また、加熱されて高温になった五徳９７をトップカバー９２で覆うことによって、安全性の面でも有利である。
【特許文献１】実公平６−４３６１１号公報（第１〜５頁）
【発明の開示】
【発明が解決しようとする課題】
【０００６】
しかしながら、上記従来のガスコンロ９では、使用する際に、トップカバー９２がガスコンロ９の後部で起立姿勢に保持されているから、使用者がそのトップカバー９２へ誤って接触した場合は、天板９１上に載置された鍋やフライパンの上へ転倒するおそれがあった。
【０００７】
また、ガスコンロ９の後部で起立するトップカバー９２は、調理の邪魔になるだけでなく、ガスコンロ９後方の壁面やカウンタ３上面の空きスペースを塞ぎ、キッチン全体の使い勝手を低下させるといった問題もあった。
さらに、ガスコンロ９を使用する度に、トップカバー９２を手動で開閉させるといった操作が必要であり、不便であった。
【０００８】
本発明は係る点に鑑みてなされたもので、
『システムキッチンのカウンタ上面に開設されたカウンタ孔へ落とし込み状態に装着される本体ケースと、本体ケースの上面開放部を覆う天板と、天板の上方に載置される被加熱物をその下方から加熱する熱源と、天板の上面を覆うトップカバーとを備えたコンロ』において、キッチン全体の使い勝手を損なうことなく、安全且つ利便性の高いコンロを提供することを課題とする。
【課題を解決するための手段】
【０００９】
上記課題を解決するための本発明の技術的手段は、
『トップカバーを本体ケースの後方且つカウンタ上面より下方の空間へ格納させた開位置と前記天板の上面を覆った閉位置との間で往復移動させるカバー駆動部と、
トップカバーの開閉を指示する開閉指示部と、
カバー駆動部によるトップカバーの開動作および閉動作を前記開閉指示部の指示に応じて実行させる開閉制御手段とを備えた』ことである。
上記技術手段によれば、開閉指示部からトップカバーを開く指示がなされた場合は、カバー駆動部によってトップカバーを本体ケースの後方且つカウンタ上面より下方の空間へ格納する開動作が実行され、開閉指示部からトップカバーを閉じる指示がなされた場合は、カバー駆動部によってトップカバーで天板の上面を覆う閉動作が実行される。即ち、トップカバーを開閉指示部の操作に応じて自動的に開閉させることが可能である。
また、トップカバーは、本体ケースの後方且つシステムキッチンのカウンタ上面より下方の空間へ格納されるため、使用中にトップカバーが天板上へ転倒するおそれがなく、調理の邪魔になったり、コンロの後方の壁面やカウンタ上面の空きスペースを塞いだりすることもない。
【００１０】
請求項２に係る発明の技術的手段は、
前記請求項１において、
『前記開閉指示部は、電源の入切を指示する電源スイッチであり、
前記開閉制御手段は、前記電源スイッチの入操作に応答して前記開動作を実行させ、切操作に応答して前記閉動作を実行させることを特徴とする』ものである。
このものでは、電源の入切を行う電源スイッチの入操作に応答してトップカバーの開動作を実行させ、切操作に応答してトップカバーの閉動作を実行させることが可能である。
【００１１】
請求項３に係る発明の技術的手段は、
請求項１または２において、
『前記トップカバーが全開であることを検知する第１センサを備え、
前記開閉制御手段は、前記第１センサがトップカバーの全開を検知していない時は前記熱源の加熱動作を禁止する加熱禁止手段を有する』ことである。
このものでは、前記開閉制御手段は、第１センサがトップカバーの全開を検知していない時には、熱源の加熱動作を禁止する加熱禁止手段を有するから、トップカバーを全開にしていない状態において熱源が動作するのを防止できる。
【００１２】
請求項４に係る発明の技術的手段は、
前記請求項１から３のいずれかにおいて、
『前記トップカバーが全開であり且つ熱源が作動していない時間を計測するタイマと、
前記タイマの計測時間が所定時間を経過した場合に、前記開閉制御手段によって前記閉動作を実行させる自動閉蓋手段とを備えた』ことである。
このものでは、トップカバーが全開状態である際の熱源の作動していない時間がタイマによって計測されており、その計測時間が所定の時間を経過した場合には、トップカバーで天板を覆う閉動作が実行される。即ち、トップカバーが全開状態であるにもかかわらず熱源を使用していない状態が一定時間続けば、トップカバーが自動的に閉じられる。
【００１３】
請求項５に係る発明の技術的手段は、
請求項１から４のいずれかにおいて、
『前記トップカバー上面の載置物を検知する第２センサを備え、
前記開閉制御手段は、前記第２センサがトップカバー上面の載置物を検知している時は前記開動作を禁止する開動作禁止手段を有する』ことである。
このものでは、前記開閉制御手段は、第２センサがトップカバー上面の載置物を検知している時には、トップカバーを本体ケースの後方且つシステムキッチンのカウンタ上面より下方の空間へ格納する開動作を禁止する開動作禁止手段を有するから、トップカバー上面に鍋やフライパン等が載置されている状態においてトップカバーが開くのを防止できる。
【００１４】
請求項６に係る発明の技術的手段は、
請求項１から５のいずれかにおいて、
『前記天板上面の載置物を検知する第３センサを備え、
前記開閉制御手段は、前記第３センサが天板上面の載置物を検知している時は前記閉動作を禁止する閉動作禁止手段を有する』ことである。
このものでは、前記開閉制御手段は、第３センサが天板上面の載置物を検知している時には、トップカバーで天板を覆う閉動作を禁止する閉動作禁止手段を有するから、天板上面に鍋やフライパン等が載置されている状態においてトップカバーが閉じるのを防止できる。
【００１５】
請求項７に係る発明の技術的手段は、
請求項１から６いずれかにおいて、
『前記開閉制御手段は、前記熱源が加熱動作を実行している時は前記閉動作を禁止する閉蓋禁止手段を有する』ことである。
このものでは、前記開閉制御手段は、熱源が加熱動作を実行している時には、トップカバーで天板を覆う閉動作を禁止する閉蓋禁止手段を有するから、熱源の加熱動作中にトップカバーが閉じるのを防止できる。
【００１６】
請求項８に係る発明の技術的手段は、
請求項１から７のいずれかにおいて、
『前記トップカバーは、複数の小幅の板体を幅方向へ連結した可撓性を有するシャッター状に構成されており、
前記カバー駆動部は、前記トップカバーを天板上面に沿って摺動させることを特徴とする』ものである。
このものでは、トップカバーは、複数の小幅の板体を幅方向へ連結した可撓性を有するシャッター状に構成され且つカバー駆動部によって天板上面に沿って摺動可能なスライド開閉式の蓋体であるから、既述従来のコンロのようなトップカバーが１枚構成である跳ね上げ式のものに比べて、狭い空間でトップカバーを開閉できる。
【００１７】
請求項９に係る発明の技術的手段は、
請求項１から８のいずれかにおいて、
『前記トップカバーには、閉位置にあるトップカバーと天板との間の熱気を放出する通気孔が設けられている』ことである。
このものでは、トップカバーに設けられた通気孔によって、閉位置にあるトップカバーと天板との間の熱気がコンロ外へ放出されるから、使用直後にトップカバーを閉じても本体ケース内やトップカバー下面側に熱気が滞留するのを抑制できる。
【発明の効果】
【００１８】
本発明は、上記構成であるから次の特有の効果を有する。
トップカバーを開閉指示部の操作に応じて自動的に開閉できるようにしたことによって、トップカバーを手動で開閉する煩雑さがないから、利便性が高い。
【００１９】
また、トップカバーを本体ケースの後方且つシステムキッチンのカウンタ上面より下方の空間へ格納可能にしたことによって、使用中にトップカバーが天板上へ転倒するおそれがないから、安全性が高い。
さらに、コンロの後方の壁面やカウンタ上面の空きスペースを有効に利用でき、トップカバーが調理の邪魔になることもないから、キッチン全体の使い勝手を損なうこともない。
【００２０】
請求項２に係る発明では、トップカバーを電源スイッチの入切操作に応答して開閉する構成にしたことによって、トップカバーを開閉させるための専用の開閉スイッチを上記電源スイッチとは別に設ける必要がない。従って、コンロの全体構成の簡略化が図れる。
【００２１】
また、上記専用の開閉スイッチを別途設けたものでは、電源の入切操作およびトップカバーを開閉するための操作は、それぞれ別々に行う必要があるが、上記請求項２に係る発明のように、トップカバーを電源スイッチの入切操作に応答して開閉する構成にすれば、電源スイッチの操作一つで行うことができ、操作の手間が軽減するから、利便性が一層高い。
【００２２】
請求項３に係る発明では、トップカバーを全開にしていない状態においては熱源を動作させないようにしたことによって、トップカバーが全閉の状態や開閉動作中に、誤って熱源の作動スイッチを押してしまった場合であっても、トップカバーを加熱してしまうおそれがないから、安全性が一層高い。
【００２３】
請求項４に係る発明では、トップカバーが全開状態であるにもかかわらず、熱源が所定の時間以上使用されていない場合には、トップカバーが自動的に閉じられるから、トップカバーの閉め忘れを防止できる。
【００２４】
請求項５に係る発明では、トップカバー上面に鍋やフライパン等が載置されている状態においてはトップカバーが開かないようにしたことによって、トップカバーの上面に鍋やフライパンを載せているにもかかわらず、開閉指示部を操作してしまった場合であっても、トップカバーが開いてその上面に載置された鍋やフライパンを落下させるおそれがない。
【００２５】
請求項６に係る発明では、天板上面に鍋やフライパン等が載置されている状態においてはトップカバーを閉じないようにしたことによって、調理中に誤って開閉指示部を操作してしまった場合であっても、トップカバーが閉じて天板上面に載置された鍋やフライパンをひっくり返すおそれがないため、安全である。
【００２６】
請求項７に係る発明では、熱源の加熱動作中はトップカバーを閉じないようにしたことによって、調理中に誤って開閉指示部を操作してしまった場合であっても、トップカバーが閉じて鍋やフライパンをひっくり返すおそれがなく、トップカバー自体を加熱してしまうおそれもないため、安全である。
【００２７】
請求項８に係る発明では、トップカバーをスライド開閉式にしたことによって、比較的狭い空間内で開閉でき、使用者の邪魔にならないから、キッチン全体の使い勝手が一層良好である。
【００２８】
請求項９に係る発明では、使用直後にトップカバーを閉じても本体ケース内やトップカバー下面側に熱気が滞留するのを抑制したことによって、熱によるコンロ各部の変形や故障を防止できる。
【発明を実施するための最良の形態】
【００２９】
次に、上記した本発明を実施するための最良の形態について、添付図面を参照しながら詳述する。
図１は、本発明の実施の形態に係るコンロとして例示するガスコンロ１の一部分解斜視図であり、図２は、後述するカバー駆動部１３の近傍を示す側面図である。また、図３は、上記ガスコンロ１の概略縦断面図である。以下、各部の詳細について図１から図３に従って説明する。
【００３０】
図１に示すように、上記ガスコンロ１は、システムキッチンのカウンタ３上面へ埋設する形式、所謂、ビルトイン式のコンロであり、カウンタ３上面の段差部３１に開設されたカウンタ孔３０へ落とし込み状態に装着される矩形箱状の本体ケース１０と、本体ケース１０の上面開口部１００を覆う天板１１と、天板１１の上面全体を覆うトップカバー１２と、トップカバー１２を本体ケース１０の後方且つカウンタ３上面より下方の空間へ格納させた開位置と天板１１の上面を覆った閉位置との間で往復移動させるカバー駆動部１３とを備えている。
【００３１】
さらに、本体ケース１０内には、後述する五徳１７上に載置された鍋やフライパンを加熱する３つのガスバーナ１４と、魚や肉等の焼き物調理を行うグリル１５と、トップカバー１２の開閉動作やガスバーナ１４の燃焼動作、グリル１５の燃焼動作等を制御する制御部１６とが収容されている。
【００３２】
本体ケース１０の正面側には、ガスコンロ１の電源の入切を指示する電源スイッチＰ１と、ガスバーナ１４の点火および消火の動作を指示する３つのバーナ点火ボタンＰ２と、後述するグリルバーナ１５１の点消火動作を指示するグリル点火ボタンＰ３とが設けられている。
【００３３】
また、本体ケース１０の背面側には、トップカバー１２をカウンタ３の下方空間へ埋没させた状態で格納可能なカバー格納部１９が設けられており、その底部には、トップカバー１２が全開状態であるか否かを検知するリミットセンサＳ１を備えている。このリミットセンサＳ１は、トップカバー１２が全開の状態でその後端部と接触し、オン状態になる位置に設けられている。
尚、上記「ガスバーナ１４」が、既述請求項１の発明特定事項としての「熱源」に対応し、上記「電源スイッチＰ１」が、既述請求項１の発明特定事項としての「開閉指示部」に対応する。また、上記「リミットセンサＳ１」が、既述請求項３の発明特定事項としての「第１センサ」に対応する。
【００３４】
天板１１には、ガスバーナ１４が臨む３つのバーナ用開口部１１１と、後述する排気ダクト１５５が臨むグリル用開口部１１２とが形成されており、その各バーナ用開口部１１１の周縁上部には、鍋やフライパン等の調理器具を受ける五徳１７が載置されている。一方、グリル用開口部１１２は、排気口カバー１８で覆われている。
【００３５】
トップカバー１２は、複数の小幅板状のプレート１２Ｎをその幅方向へ連結した可撓性を有するシャッター状の蓋体であり、その両側端は、段差部３１の前縁上面から側面３１０に沿ってその後方へ水平に延び、さらに天板１１の後方からカバー格納部１９の内側壁１９０に沿ってその底部まで延びる略Ｌ字状のガイドレール１２１，１２１へ遊挿されている。即ち、トップカバー１２は、段差部３１の側面３１０およびカバー格納部１９の内側壁１９０に沿って略Ｌ字状にスライド開閉可能な状態で取り付けられている。
【００３６】
また、トップカバー１２を閉じた状態において上記排気口カバー１８の上方に位置するプレート１２Ｎには、ガスバーナ１４から発生した燃焼熱や後述するグリル１５内からの熱気をトップカバー１２の上方へ排出するための通気孔１２２が形成されている。また、トップカバー１２の上面に対応する上記各プレート１２Ｎの上面には、その部位に鍋やフライパン等の重量物が載置された際にオン状態になる重量センサＳ２が設けられている。
さらに、トップカバー１２の前端部には、その部位が段差部３１の前縁上面や使用者等に接触した際にオン状態になる接触センサＳ５が設けられている。
【００３７】
また、トップカバー１２両側端の下面には、その前後方向へ連続する波状の凹凸（以下、「ラック部」という）１２３が形成されており、後述するカバー駆動部１３の送り歯車１３１と係合している（図２参照）。
尚、上記「重量センサＳ２」が、既述請求項５の発明特定事項としての「第２センサ」に対応する。
【００３８】
図２に示すように、カバー駆動部１３は、制御部１６からの指示に応じて正逆回転可能な開閉モータ１３０と、開閉モータ１３０に連動して回転する送り歯車１３１と、開閉モータ１３０を本体ケース１０の後面に固定する台座部１３２とを備えており、上記送り歯車１３１がトップカバー１２のラック部１２３に係合している。
【００３９】
従って、開閉モータ１３０を正方向もしくは逆方向へ回動させれば、トップカバー１２をその両端のガイドレール１２１，１２１に沿って前後に摺動させることが可能である。ここで、開閉モータ１３０の正回転とは、トップカバー１２を開位置に移動させる方向、即ち、カバー格納部１９側に引き込む方向への回転をいい、開閉モータ１３０の逆回転とは、トップカバー１２を閉位置に移動させる方向、即ち、カウンタ３の前方に押し出す方向への回転をいう。
【００４０】
ガスバーナ１４は、図３に示すように、ガス元管（図示しない）から供給されるガスの流量を調整するガス比例弁１４０と、制御部１６に電気的に接続されたイグナイタ（図示しない）から高電圧を印加されることによって火花放電する点火プラグ１４１とを備えている。
【００４１】
また、ガスバーナ１４の中央には、五徳１７上に調理器具が載置された際にオン状態になる鍋検知センサＳ３が設けられており、ガスバーナ１４の周縁近傍には、ガスバーナ１４からの炎を感知した際にオン状態になる炎検知センサＳ４が設けられている。
尚、上記「鍋検知センサＳ３」が、既述請求項６の発明特定事項としての「第３センサ」に対応する。
【００４２】
グリル１５は、魚や肉等の被調理物を収容する加熱室１５０と、加熱室１５０内の被調理物を加熱するグリルバーナ１５１と、グリルバーナ１５１の燃焼熱や被調理物から生成された燃焼油等を含んだ熱気をケース本体１０外へ排出する排気ダクト１５２とを備えている。
【００４３】
制御部１６には、上述の電源スイッチＰ１、バーナ点火ボタンＰ２、グリル点火ボタンＰ３、開閉モータ１３２、ガス比例弁１４０、リミットセンサＳ１、重量センサＳ２、鍋検知センサＳ３、炎検知センサＳ４および接触センサＳ５が電気的に接続されている。また、制御部１６は、トップカバー１２が全開の状態において、３つのバーナ点火ボタンＰ２全てがオフになっている時間を計測するタイマ（図示しない）と、図４および図５に示す作動フローチャートを実行するマイクロコンピュータとを備えている。
【００４４】
このものでは、トップカバー１２は、段差部３１の側面３１０およびカバー格納部１９の内側壁１９０に沿って略Ｌ字状にスライド開閉可能な状態で取り付けられている。即ち、閉じている状態においては、カウンタ３の上面と略同一平面状で水平に延びた状態で天板１１を覆い、開く際には、そのガイドレール１２１，１２１に沿って摺動して、本体ケース１０の背面側且つカウンタ３の下方空間へ埋没した状態で格納される。従って、ガスコンロ１の使用中にトップカバー１２が天板１１上へ転倒して五徳１７上の鍋やフライパン等をひっくり返すおそれがなく、安全性が高い。
【００４５】
また、ガスコンロ１の後方の壁面やカウンタ３上面の空きスペースを有効に利用できるし、トップカバー１２が調理や配膳の妨げとなって、キッチン全体の使い勝手を損なうこともない。
【００４６】
さらに、トップカバー１２の構成をスライド開閉式にしたことによって、上記従来のガスコンロ９のような跳ね上げ式のものに比べてその開閉に必要な空間が小さく、使用者の邪魔にならないから、キッチン全体の使い勝手が一層良好である。
【００４７】
また、トップカバー１２に通気孔１２２を設けたことによって、使用直後にガスバーナ１４から発生した燃焼熱やグリル１５内の熱気がトップカバー１２と天板１１との間に滞留しないでトップカバー１２の上方へ排出されるから、それら熱によるガスコンロ１の各部の変形や故障を抑制できる。
【００４８】
［トップカバー１２の開閉動作］
次に、上記トップカバー１２の開閉動作制御について、図４に示す作動フローチャートに従って詳述する。
【００４９】
まず、トップカバー１２を開く動作について説明する。
トップカバー１２が閉じられた状態（全閉状態）において、電源スイッチＰ１の入操作がなされると、制御部１６は、ガスコンロ１の電源を「入」にし、ガスバーナ１４およびグリル１５の使用が許可された起動状態になる（ＳＴ１〜ＳＴ２）。
【００５０】
そして、重量センサＳ２およびリミットセンサＳ１が共にオフ状態であることを確認した後、カバー駆動部１３の開閉モータ１３２に対して、正回転させる指示信号（以下、「正回転信号」という）を出力する（ＳＴ３〜ＳＴ５）。この正回転信号を受けた開閉モータ１３２は、送り歯車１３１を回転させ、トップカバー１２をカバー格納部１９側に引き込む開動作を実行する。
【００５１】
この間、ガスコンロ１の電源の「入」状態および重量センサＳ２のオフ状態が維持されていれば、リミットセンサＳ１がオン状態になるまで、開閉モータ１３２の正回転動作、即ち、トップカバー１２の開動作が継続される（ＳＴ１〜ＳＴ５）。
【００５２】
その後、トップカバー１２がカバー格納部１０内へ格納されて全開状態になり、リミットセンサＳ１がオン状態になった場合は、開閉モータ１３２に対して、回転動作を停止させる信号（以下、「停止信号」という）を出力する（ＳＴ４，ＳＴ６）。この停止信号を受けた開閉モータ１３２は、送り歯車１３１の回転を停止させ、トップカバー１２の開動作を停止させる。
【００５３】
また、上記開動作継続中に、電源スイッチＰ１の切操作がなされた場合は、炎検知センサＳ４がオフ状態であることを確認した後、ガスコンロ１の電源を「切」にし、ガスバーナ１４およびグリル１５の使用が禁止された待機状態になる（ＳＴ１，ＳＴ８〜ＳＴ９）。そして、後述するステップＳＴ１０からＳＴ１２の閉動作が実行される。
【００５４】
一方、トップカバー１２が全閉の状態で電源スイッチＰ１の入操作がなされ、ガスコンロ１の電源が「入」になっても（ＳＴ１〜ＳＴ２）、トップカバー１２の上面に鍋やフライパン等の重量物が載置されて、重量センサＳ２がオン状態になっている場合は、開閉モータ１３２に対して停止信号が出力され（ＳＴ３，ＳＴ７）、トップカバー１２の開動作が禁止される。
【００５５】
上記開動作継続中に、トップカバー１２の上面へ鍋やフライパンが載置された場合も同様に、開閉モータ１３２に対して停止信号が出力され（ＳＴ３，ＳＴ７）、トップカバー１２の開動作が禁止される。
尚、上記ステップＳＴ３およびＳＴ７における「重量センサＳ２がオン状態になった場合は、開閉モータ１３２に対して停止信号を出力する」制御部１６の機能部が、既述請求項４の発明特定事項としての「開動作禁止手段」に対応する。
【００５６】
次に、トップカバー１２を閉じる動作について説明する。
トップカバー１２が開いた状態（全開状態）において、電源スイッチＰ１の切操作がなされると、制御部１６は、炎検知センサＳ４がオフ状態であることを確認した後、ガスコンロ１の電源を「切」にし、待機状態になる（ＳＴ１，ＳＴ８〜ＳＴ９）。
【００５７】
そして、鍋検知センサＳ３および接触センサＳ５がそれぞれオフ状態であることを確認した後、開閉モータ１３２に対して、逆回転させる指示信号（以下、「逆回転信号」という）を出力する（ＳＴ１０〜ＳＴ１２）。この逆回転信号を受けた開閉モータ１３２は、送り歯車１３１を回転させ、トップカバー１２をカウンタ３の前方に押し出す閉動作を実行する。
【００５８】
この間、ガスコンロ１の電源の「切」状態も、炎検知センサＳ４および鍋検知センサＳ３のオフ状態も維持されていれば、接触センサＳ５がオン状態になるまで、開閉モータ１３２の逆回転動作、即ち、トップカバー１２の閉動作は継続される（ＳＴ１，ＳＴ８〜ＳＴ１２）。
【００５９】
その後、トップカバー１２がカウンタ３の前縁上面に当接する位置まで押し出されて全閉状態になり、接触センサＳ５がオン状態になった場合は、開閉モータ１３２に対して停止信号を出力する（ＳＴ１１，ＳＴ７）。この停止信号を受けた開閉モータ１３２は、送り歯車１３１の回転を停止させ、トップカバー１２の開動作を停止させる。
【００６０】
また、上記閉動作継続中に、電源スイッチＰ１の入操作がなされた場合は、ガスコンロ１の電源を「入」にし、起動状態になる（ＳＴ１〜ＳＴ２）。そして、上述したステップＳＴ３からＳＴ５の開動作が実行される。
【００６１】
一方、ガスコンロ１の電源を「切」にすべく電源スイッチＰ１の切操作がなされたが、ガスバーナ１４が燃焼中であれば、電源の「入」状態を維持する燃焼監視動作が実行される（ＳＴ１，ＳＴ８）。即ち、炎検知センサＳ４がオン状態であれば、トップカバー１２の閉動作を実行せずに、上述のステップＳＴ２以降の動作を実行させる。
尚、上記ステップＳＴ８およびＳＴ２における「炎検知センサＳ４がオンの状態である場合は、トップカバー１２の閉動作を実行しない」制御部１６の機能部が、既述請求項７の発明特定事項としての「閉蓋禁止手段」に対応する。
【００６２】
また、トップカバー１２が全開の状態で電源スイッチＰ１の切操作がなされ、ガスコンロ１の電源が「切」になっても（ＳＴ１，ＳＴ８〜ＳＴ９）、五徳１７上に鍋やフライパン等の調理器具が載置されて、鍋検知センサＳ３がオン状態になっている場合は、開閉モータ１３２に対して停止信号が出力され（ＳＴ１０，ＳＴ７）、トップカバー１２の開動作が禁止される。
上記閉動作継続中に、五徳１７上へ鍋やフライパンが載置された場合も同様に、開閉モータ１３２に対して停止信号が出力され（ＳＴ１０，ＳＴ７）、トップカバー１２の開動作が禁止される。
【００６３】
また、上記閉動作継続中、使用者の手や調理器具がトップカバー１２の前端部に接触して、接触センサＳ５がオン状態になった場合も、開閉モータ１３２に対して停止信号が出力され（ＳＴ１０，ＳＴ７）、トップカバー１２の開動作が禁止される。
【００６４】
尚、上記ステップＳＴ１０およびＳＴ７における「鍋検知センサＳ３がオン状態になった場合は、開閉モータ１３２に対して停止信号を出力する」制御部１６の機能部が、既述請求項３の発明特定事項としての「閉動作禁止手段」に対応する。また、上記ステップＳＴ１からＳＴ１２における「電源スイッチＰ１の入操作がなされた場合は、開閉モータ１３２に対して正回転信号を出力し、電源スイッチＰ１の切操作がなされた場合は、開閉モータ１３２に対して逆回転信号を出力する」制御部１６の機能部が、既述請求項１の発明特定事項としての「開閉制御手段」に対応する。
【００６５】
このように、トップカバー１２の開閉は、電源スイッチＰ１の入切操作一つで自動的に行われるようにしたことによって、ガスコンロ１を使用する度に手動で開閉させるといった煩雑な操作を行わなくても良いし、ガスコンロ１を使用する際の操作の手数も最小限で良いから、利便性が高い。
また、トップカバー１２を開閉させるための専用の操作スイッチを上記電源スイッチＰ１とは別に設ける必要もないから、ガスコンロ１全体の構成の簡略化が図れる。
【００６６】
一方、電源スイッチＰ１の入操作がなされても、トップカバー１２の上面に鍋やフライパン等の調理器具が載置されている場合は、トップカバー１２の開動作が禁止されるようにしたことによって、トップカバー１２が開いてその調理器具を天板１１上へ落下させるおそれがないから、安全性が高い。
【００６７】
また、電源スイッチＰ１の切操作がなされても、五徳１７上に鍋やフライパン等の調理器具が載置されている場合は、トップカバー１２の閉動作が禁止されるようにしたことによって、トップカバー１２が閉じてその調理器具をひっくり返すおそれもないから、安全性が一層高い。
【００６８】
さらに、トップカバー１２の前端部に接触センサＳ５を設け、トップカバー１２の閉動作継続中に、使用者の手や調理器具がその前端部に接触した場合は開動作が禁止されるようにしたことによって、それら手や調理器具がトップカバー１２に強く挟まれる心配がないから、安全性が一層高い。
【００６９】
［ガスバーナ１４の点消火動作］
次に、上記ガスバーナ１４の点消火動作制御について、図４に示す作動フローチャートに従って詳述する。
【００７０】
ガスコンロ１の電源の「入」状態（起動状態）において、トップカバー１２が全開状態（ＳＴ６）になった後、使用するガスバーナ１４に対応したバーナ点火ボタンＰ２をオンにして点火が指示されると、制御部１６は、そのガスバーナ１４に対応したガス元弁（図示しない）を開くとともに、ガス比例弁１４０に対して、火力調整レバー（図示しない）の指示火力に対応した開度まで開弁させる指示信号（以下、「燃焼開度信号」という）を出力し、イグナイタ（図示しない）に対して、点火プラグ１４１へ高電圧を印加させる点火指示信号を出力する（ＳＴ１３〜ＳＴ１４）。この燃焼開度信号を受けたガス比例弁１４０は、上記ガスバーナ１４に対するガス供給量の調整を開始するとともに、点火プラグ１４１から火花放電されて、ガスバーナ１４の燃焼動作が実行される。
【００７１】
この間、ガスコンロ１の電源の「入」状態、リミットセンサＳ１のオン状態および重量センサＳ２のオフ状態が維持されていれば、バーナ点火ボタンＰ２が再び押されてオフになるまで、ガスバーナ１４の燃焼動作が継続される（ＳＴ１〜ＳＴ４，ＳＴ６，ＳＴ１３〜ＳＴ１４）。
【００７２】
その後、バーナ点火ボタンＰ２をオフにして消火が指示されると、ガス元弁（図示しない）を閉じるとともに、ガス比例弁１４０を点火に適した開度まで閉弁させる信号（以下、「消火開度信号」という）を出力し（ＳＴ１３，ＳＴ１５〜ＳＴ１６）、後述する使用監視動作を実行する。このとき、上記消火開度信号を受けたガス比例弁１４０は、上記ガスバーナ１４へのガスの供給を停止し、消火させる。
尚、上記ステップＳＴ４、ＳＴ６、ＳＴ１３およびＳＴ１４に示すように、上記燃焼開度信号は、リミットセンサＳ１がオン状態である場合に出力可能になる。即ち、トップカバー１２が全開の状態で、ガスバーナ１４の点火が可能になる。
【００７３】
この「燃焼開度信号は、リミットセンサＳ１がオン状態である場合に出力可能になる」ステップＳＴ４、ＳＴ６、ＳＴ１３およびＳＴ１４における制御部１６の機能部が、既述請求項３の発明特定事項としての「加熱禁止手段」に対応する。
【００７４】
また、トップカバー１２が全開（ＳＴ６）になった後、いずれかのガスバーナ１４が所定時間内に点火されるか否かを監視する使用監視動作が実行される（ＳＴ１３，ＳＴ１５〜ＳＴ１６）。具体的には、リミットセンサＳ１がオン状態且つ３つのバーナ点火ボタンＰ２全てがオフ状態である時間を制御部１６のタイマ（図示しない）によって計測し、そのタイマの計測時間が所定時間（例えば、５分間）を超えるまでにバーナ点火ボタンＰ２がオンにされるか否かを監視する。
【００７５】
このとき、上記所定時間内にいずれかのバーナ点火ボタンＰ２がオンにされてガスバーナ１４が点火された場合は、上記タイマの計測を中止して、ガスバーナ１４の燃焼動作が実行される（ＳＴ１３〜ＳＴ１４）。
【００７６】
一方、バーナ点火ボタンＰ２が上記所定時間を経過してもオンにされず、全てのガスバーナ１４の消火状態が維持されている場合、即ち、上記タイマの計測時間が所定の時間を経過した場合は、ガスコンロ１の電源を「切」にし（ＳＴ１６，ＳＴ９）、上述のステップＳＴ１０からＳＴ１２の閉動作が実行される。
尚、上記ステップＳＴ１６における「タイマの計測時間が所定の時間を経過した場合は、トップカバー１２の閉動作を実行させる」制御部１６の機能部が、既述請求項４の発明特定事項としての「自動閉蓋手段」に対応する。
【００７７】
このように、ガスバーナ１４の燃焼動作は、トップカバー１２が全開状態である場合に実行可能としたことによって、トップカバー１２を誤ってガスバーナ１４で加熱してしまうおそれがないから、安全性が高い。
【００７８】
さらに、ガスバーナ１４の燃焼動作中はトップカバー１２を閉じないようにしたことによって、調理中に誤って電源スイッチＰ１を操作してしまった場合であっても、トップカバー１２が閉じて鍋やフライパンをひっくり返すおそれがないし、トップカバー１２自体を加熱してしまうおそれもないから、安全性が一層高い。
【００７９】
また、トップカバー１２が全開状態になった後、バーナ点火ボタンＰ２が所定の時間を経過しても操作されなかった場合は、ガスコンロ１の電源を「切」にしてトップカバー１２の閉動作が自動的に実行されるようにしたことによって、トップカバー１２の閉め忘れを防止できる。
【００８０】
［グリル１５の点消火動作］
次に、上記グリル１５の点消火動作について、図５に示す作動フローチャートに従って詳述する。
【００８１】
グリル点火ボタンＰ３が押されてオン状態になると、制御部１６は、リミットセンサＳ１もしくは重量センサＳ２がオン状態、即ち、トップカバー１２が全開もしくは全閉の状態であれば、上述のガスバーナ１４と同様、グリルバーナ１５１へのガスの供給を開始するとともに、グリルバーナ１５１の点火プラグ（図示しない）から火花放電させて、グリルバーナ１５１の燃焼動作が実行される（ＳＴ２１〜ＳＴ２４）。
そして、グリル点火ボタンＰ３が再び押されてオフ状態になれば、グリルバーナ１５１へのガスの供給を停止し、消火させる（ＳＴ２１，ＳＴ２５）。
【００８２】
このように、グリル１５の燃焼動作は、トップカバー１２が全開もしくは全閉状態である場合に実行可能、即ち、排気口カバー１８の上方が常に開放された状態（トップカバー１２が全閉の状態においては、排気口カバー１８の上方に通気孔１２２が位置している状態）で実行可能としたことによって、グリル１５の加熱室１５０内に発生した熱気がトップカバー１２と天板１１との間に滞留しないでガスコンロ１の上方へ直接的に排出されるから、その熱気によるガスコンロ１の各部の変形や故障を一層抑制できる。
また、ガスバーナ１４を使用しないためにトップカバー１２が閉じられた状態であっても、グリル１５単独で使用できるから、利便性が良い。
【００８３】
［その他］
尚、上記実施の形態において、カバー駆動部１３は、トップカバー１２のラック部１２３に係合する送り歯車１３１を開閉モータ１３０で回動させることによって、トップカバー１２を摺動させているが、図６に示すガスコンロ１Ａのように、トップカバー１２Ａの後端に連結するベルト１３４を開閉モータ１３０で回動させることによって、トップカバー１２を摺動させるものであっても良い。
【００８４】
このカバー駆動部１３Ａは、制御部１６からの指示に応じて正逆回転可能な開閉モータ１３０と、開閉モータ１３０を本体ケース１０の後面に固定する台座部１３２と、開閉モータ１３０に連動して回転する主プーリ１３３と、ガイドレール１２１の下端近傍に軸支される副プーリ１３４と、主プーリ１３３および副プーリとの間に装着されるベルト１３５とを備えており、トップカバー１２Ａの後端の連結部１２５が上記ベルト１３５へ固定状態で結合されている。尚、トップカバー１２Ａの下面には、上記実施の形態のようなラック部１２３は形成されていない。
【００８５】
従って、開閉モータ１３０を正方向もしくは逆方向へ回動させれば、ベルト１３５が正方向もしくは逆方向に回転し、トップカバー１２をその両端のガイドレール１２１に沿って前後に摺動させることが可能である。
【００８６】
さらに、上記実施の形態において、トップカバー１２は、カバー駆動部１３によって本体ケース１０の背面側へスライド移動して格納されるものを説明したが、図７に示すガスコンロ１Ｂのように、トップカバー１２Ｂの後端がカバー駆動部１３Ｂの巻き取り軸１３６へ連結されており、本体ケース１０の背面側へ巻き取られるようにして格納されるものであっても良い。
【００８７】
また、図８（ａ）に示すガスコンロ１Ｃのように、１枚構成のトップカバー１２Ｃであって、その後端から本体ケース１０の背面側へ直立状態で格納されるものであっても良いし、図８（ｂ）に示すガスコンロ１Ｄのように、２枚構成のトップカバー１２Ｄであって、２つ折りになった状態で本体ケース１０の背面側へ格納されるものであっても良い。
【００８８】
また、トップカバー１２の通気孔１２２は、トップカバー１２を閉じた状態において上記排気口カバー１８の上方位置に形成されているが、図９に示すガスコンロ１Ｅのように、複数のスリット１２２Ｅをトップカバー１２の各プレート１２Ｎ全体に形成したものであっても良い。
【００８９】
一方、上記実施の形態では、トップカバー１２の開閉動作は、電源スイッチＰ１の入切操作に連動させているが、トップカバー１２を開閉させるための開閉スイッチを別途設け、その開閉スイッチのオンオフ操作に連動させたものであっても良い。
【００９０】
トップカバー１２が全開状態であるか否かを検知するリミットセンサＳ１、トップカバー１２が全閉状態であるか否かを検知する接触センサＳ５、トップカバー１２の上面に鍋やフライパン等の重量物が載置されたか否かを検知する重量センサＳ２、五徳１７上に調理器具が載置されたか否かを検知する鍋検知センサＳ３は、それぞれ接触式のセンサを用いているが、赤外線センサや超音波センサ等の非接触式のセンサによって検知しても良い。
また、トップカバー１２が全開もしくは全閉の状態であるか否かは、開閉モータ１３０に接続したロータリエンコーダによって検知しても良い。
【００９１】
さらに、上記ステップＳＴ８において、ガスバーナ１４が使用中であるか否かの判断は、炎検知センサＳ４によって行われているが、バーナ点火ボタンＰ２のオンオフ状態で判断するものであっても良い。
【００９２】
上記ステップＳＴ８における燃焼監視動作は、電源スイッチＰ１の切操作がなされても、ガスバーナ１４が燃焼中であればガスコンロ１の電源の「入」状態（起動状態）を維持し、上述のステップＳＴ３からＳＴ６の制御動作を実行させるもの、即ち、使用者がバーナ点火ボタンＰ２を押してガスバーナ１４を消火させるまで、トップカバー１２の閉動作を禁止するものであるが、電源スイッチＰ１の切操作がなされた場合、ガスバーナ１４が燃焼中であれば、強制的にガスバーナ１４を消火させると同時にガスコンロ１の電源を「切」状態（待機状態）にし、その後、トップカバー１２の閉動作を実行させるものであっても良い。
【００９３】
上記ステップＳＴ１６における使用監視動作は、バーナ点火ボタンＰ２が操作されたか否かを監視するものであるが、そのバーナ点火ボタンＰ２以外に、グリル点火ボタンＰ３やガスバーナ１４の火力を調整する火力調整レバーが操作されたか否かについても合わせて監視し、それらバーナ点火ボタンＰ２やグリル点火ボタンＰ３、火力調整レバーが所定時間以上操作されていない場合に、ガスコンロ１の電源を「切」状態（待機状態）にしてトップカバー１２を自動的に閉じるようにしたものであっても良い。
尚、上記実施の形態におけるコンロは、システムキッチンのカウンタに落とし込み状態で設置されるビルトイン式のものを説明したが、カウンタの段差部に載置して使用される据置式のものであっても良い。また、ガスコンロに限らず、電磁誘導加熱式のコンロであっても良い。
【図面の簡単な説明】
【００９４】
【図１】本発明の実施の形態に係るコンロとして例示するガスコンロ１の一部分解斜視図
【図２】本発明の実施の形態に係るコンロとして例示するガスコンロ１のカバー駆動部１３の近傍を示す側面図
【図３】本発明の実施の形態に係るコンロとして例示するガスコンロ１の概略縦断面図
【図４】本発明の実施の形態に係るコンロとして例示するガスコンロ１の制御部１６の作動フローチャート
【図５】本発明の実施の形態に係るコンロとして例示するガスコンロ１の制御部１６の作動フローチャート
【図６】本発明の他の実施形態として例示するガスコンロ１Ａのカバー駆動部１３の近傍を示す側面図
【図７】本発明の他の実施形態として例示するガスコンロ１Ｂの開蓋動作説明図
【図８】本発明の他の実施形態として例示するガスコンロ１Ｃおよび１Ｄの開蓋動作説明図
【図９】本発明の他の実施形態として例示するガスコンロ１Ｅの斜視図
【図１０】従来のコンロとして例示するガスコンロ９の斜視図
【符号の説明】
【００９５】
１・・・コンロ
１０・・・本体ケース
１１・・・天板
１２・・・トップカバー
１３・・・カバー駆動部
１４・・・熱源
１６・・・制御部
３・・・カウンタ
３０・・・カウンタ孔
Ｐ１・・・開閉指示部
【図１】
2008025943.tif 000003
【図２】
2008025943.tif 000004
【図３】
2008025943.tif 000005
【図４】
2008025943.tif 000006
【図５】
2008025943.tif 000007
【図６】
2008025943.tif 000008
【図７】
2008025943.tif 000009
【図８】
2008025943.tif 000010
【図９】
2008025943.tif 000011
【図１０】
2008025943.tif 000012